(57)【特許請求の範囲】
【請求項１】
乗りかごに設けられたかご扉の戸開操作を非接触で操作可能に構成されるエレベータであって、
前記かご扉の戸開操作を非接触で行うために遮光を検知する非接触式センサと、
前記かご扉の開閉操作を報知するために音を発生させる音発生部と、
前記非接触式センサの遮光検知に基づいて前記かご扉を戸開させる戸開モードを実行するとともに、前記戸開モードを実行しているときに前記音発生部に所定の音を発生させる制御部とを備え、
前記制御部は、前記戸開モードの実行中に前記非接触式センサが遮光を検知している検知状態から検知していない非検知状態に変化する第１の非検知タイミングで前記所定の音を停止させるとともに、前記第１の非検知タイミングから第１所定時間の経過後に前記戸開モードを終了する、
エレベータ。
【請求項２】
前記制御部は、前記第１の非検知タイミングから前記第１所定時間の経過後に前記かご扉を戸閉させる戸閉モードを実行し、前記第１所定時間の経過前に前記非接触式センサが遮光を再検知した場合には再検知後に前記非接触式センサが遮光を検知しなくなる第２の非検知タイミングから第２所定時間の経過後に前記戸閉モードを実行する、
請求項１に記載のエレベータ。
【請求項３】
前記制御部が前記戸開モードを実行していることを発光により報知する発光部を含む、
請求項１または２に記載のエレベータ。
【発明の詳細な説明】
【技術分野】
【０００１】
本発明は、エレベータに関し、特に、かご扉の戸開操作に関する。
【背景技術】
【０００２】
エレベータのかご内や乗場には、かご操作盤や乗場操作盤が設置される。各操作盤には、例えば、行先階の数字などを表示した行先階釦、かご扉の開閉操作を行うための戸開釦や戸閉釦が設けられている。一例として、乗客は行先階釦を操作することで、昇降路を移動する乗りかごの行先階を登録する。この行先階釦には、押釦やタッチパネルといった接触式のものが広く採用されている。
【０００３】
また、近年では、公共施設等に設置されるエレベータにおいて、衛生面への配慮から、操作盤に配置された光電（非接触式）センサなどに手をかざすことによりかごの行先階登録の操作を非接触で行うことが可能な非接触式のかご操作盤も導入されつつある。このように行先階登録の操作を非接触で行う場合、乗客の手が操作部と接触しないため操作が受け付けられているか否か、乗客が把握し難いという問題がある。
【０００４】
特許文献１には、操作盤に配置された非接触式のセンサが行先階の登録操作を検知したときに同センサの周囲に配置された区切り線と行き先階の階数を示す数字部分が点灯することで登録操作が受け付けられたことを乗客が把握できるように構成されたエレベータが開示されている。
【先行技術文献】
【特許文献】
【０００５】
【特許文献１】特開２０１９−１４２６８６号公報
【発明の概要】
【発明が解決しようとする課題】
【０００６】
上記特許文献１に記載のエレベータのように、仮に、非接触式センサを用いてかご扉の戸開操作を行おうとした場合、乗客は非接触式センサに手をかざすなどして同センサに遮光を検知させ続ける必要がある。この際、非接触式センサ周辺に設けられた発光部を点灯させたとしても、同センサにかざしている手などの遮蔽物が乗客の視界を妨げやすい。そのため、非接触式センサ周辺に配置された発光部を乗客が視認し難い場合があり、同センサの検知状態を乗客が充分に把握できないという問題がある。
【０００７】
本発明は、非接触式センサに遮蔽物を検知させることによりかご扉の戸開操作を非接触で行う場合において、非接触式センサの検知状態を乗客が容易に把握できるエレベータを提供することを目的とする。
【課題を解決するための手段】
【０００８】
本発明のエレベータは、乗りかごに設けられたかご扉の戸開操作を非接触で操作可能に構成されるエレベータであって、かご扉の戸開操作を非接触で行うために遮光を検知する非接触式センサと、かご扉の開閉状態を報知するために音を発生させる音発生部と、非接触式センサの遮光検知に基づいてかご扉を戸開させる戸開モードを実行するとともに、戸開モードのときに音発生部に所定の音を発生させる制御部とを備え、制御部は、戸開モードの実行中に非接触式センサが遮光を検知している検知状態から検知していない非検知状態に変化する第１の非検知タイミングで所定の音を停止させるとともに、第１の非検知タイミングから第１所定時間の経過後に戸開モードを終了するものである。
【００１０】
本発明のエレベータにおいて、制御部は、第１の非検知タイミングから第１所定時間の経過後にかご扉を戸閉させる戸閉モードを実行し、第１所定時間の経過前に非接触式センサが遮光を再検知した場合には再検知後に非接触式センサが遮光を検知しなくなる第２の非検知タイミングから第２所定時間の経過後に戸閉モードを実行してもよい。
【００１１】
本発明のエレベータにおいて、制御部が戸開モードを実行していることを発光により報知する発光部を含んでもよい。
【発明の効果】
【００１２】
本発明のエレベータによれば、非接触式センサによる遮光検知に基づいてかご扉を戸開させるとともに所定の音を発生させる。これにより、乗客が非接触式センサに手などの遮蔽物をかざすなどしている状態でも同センサが遮蔽物を検知していることを乗客が容易に把握できる。
【図面の簡単な説明】
【００１３】
【図１】本発明の一実施形態であるエレベータの全体構成図である。
【図２】図１に含まれるかご内に設置されたかご操作盤の構成を示す斜視図である。
【図３】図２に含まれるかご操作盤全体の構成とともに同操作盤の一部構成を拡大して示す図である。
【図４】図３に含まれる行先階センサ部と検出領域の位置関係を模式的に示す断面図である。
【図５】図３に示すかご操作盤を介したかご扉の開閉制御の流れを示すフローチャートである。
【発明を実施するための形態】
【００１４】
以下、本発明の一実施形態であるエレベータ１０について、図面を参照しながら説明する。なお、各図において、図中に示す「Ｚ」は駆動シーブ１８の軸方向と平行な水平方向Ｚを示し、「Ｘ」は水平方向Ｚに直交する水平方向Ｘを示し、「Ｙ」は水平方向Ｘ、および水平方向Ｚに各々直交する上下方向Ｙを示すものとする。
【００１５】
図１に示すように、エレベータ１０は、昇降路１２の最上部に機械室１４を有するトラクション式エレベータであって、例えば、病院や介護施設など公共の建物に設置される。機械室１４に設置された巻上機１６の駆動シーブ１８には、主ロープ２０が掛けられており、この主ロープ２０の一端部に乗りかご２２が連結され、他端部にカウンターウェイト２４が連結されている。
【００１６】
巻上機１６のモータ（不図示）からの回転動力が、動力伝達機構（不図示）を介して駆動シーブ１８に伝達され、駆動シーブ１８が回転駆動されるとこれに伴って主ロープ２０が走行し、主ロープ２０に吊り下げられた乗りかご２２が、ガイドレール（不図示）に案内されて昇降路１２を上下方向Ｙに移動する。
【００１７】
エレベータ１０が設置された建物には、異なる階毎に乗場２６Ａ，２６Ｂ，２６Ｃ（以下、特に区別する必要が無い場合は適宜「乗場２６」と表記）が設けられており、エレベータ１０の運転中、乗りかご２２は、現在、着床している階の乗場（図１では、乗場２６Ｃ）から、次の行先階の乗場（例えば、乗場２６Ａ）までの昇降移動を繰り返す。
【００１８】
図２は、乗りかご２２内のかご扉２２Ａ，２２Ｂ周辺の構成を示す斜視図である。図２に示すように、乗りかご２２の正面側に設けられた乗降口２２Ｇ直上方に位置する垂れ壁２２−１には案内用照明（発光部）ＬＭが設けられている。また、乗降口２２Ｇに隣接する袖壁２２−２にはかご操作盤２３が設けられている。かご操作盤２３は、エレベータ１０を利用する乗客が行先階の入力操作や、かご扉２２Ａ，２２Ｂの開閉操作を行うための操作盤である。また、案内用照明ＬＭは、ランプ（不図示）が内部に設置された透光性を有する細長いパネルによって構成され、例えば、かご扉２２Ａ，２２Ｂの開閉動作時に点灯することで乗客にかご扉２２Ａ，２２Ｂが動作中であることを報知する役割を有する。
【００１９】
図３は、かご操作盤２３の構成を示す正面図である。図３に示すように、かご操作盤２３は、乗りかご２２の行先階を決定するための入力操作や、かご扉２２Ａ，２２Ｂの開閉操作を行う役割を有する操作部３０が中央部に設けられている。操作部３０は、押釦３１Ａ，３１Ｂ，３１Ｃ，…（以下、特に区別する必要が無い場合は押釦「３１」と表記）が上下方向Ｙに沿って等間隔に配置される。そして、押釦３１Ａの直下方には、かご扉２２Ａ，２２Ｂの戸開操作を行うための戸開釦３２と、同扉２２Ａ，２２Ｂの戸閉操作を行うための戸閉釦３３が各々上下方向Ｙに沿って配置される。戸閉釦３３の構成は、戸開釦３２とほぼ同一であるため以下の説明では、戸開釦３２の構成について主に説明を行い、戸閉釦３３については適宜説明を省略する。
【００２０】
各押釦３１と戸開釦３２の右隣には、遮光を検知する行先階センサ部３４Ａ，３４Ｂ，３４Ｃ，…（以下、特に区別する必要が無い場合はセンサ「３４」と表記）と、行先階センサ部３４と同様に遮光を検知する戸開センサ部（非接触式センサ）３５とが各々設けられている。各行先階センサ部３４は左側に隣接する各押釦３１と同一の行先階操作を非接触で行う機能を有する。同様に、戸開センサ部３５は戸開釦３２と同一の戸開操作を非接触で行う機能を有する。
【００２１】
ここで、各押釦３１および戸開釦３２は、各操作を受付けたことを報知する機能も有する。より具体的には、図３に示すように、各押釦３１Ａ，３１Ｂ，３１Ｃ，…は、正面側に行先階を示す数字の形をした透光部（発光部）Ｌ−１，Ｌ−２，Ｌ−３，…（以下、特に区別する必要が無い場合は「透光部Ｌ」と表記）が設けられている。そして、押釦３１内部に設けられた不図示のランプが点灯することによって透光部Ｌが発光するように構成される。一方、戸開釦３２も、押釦３１と同様の構成を有し、正面側に矢印形をした透光部（透光部）３２Ｌが設けられる。各透光部３２Ｌは、発光可能に構成される。なお、本実施形態では、戸閉釦３３には、戸開釦３２と異なり同釦３３に対応する戸開センサ部が設けられていないが、同釦３３に対応する戸開センサ部を設けるものとしてもよい。
【００２２】
そして、押釦３１を押すことにより、或いは、行先階センサ部３４が手などの遮蔽物を検出することにより、行先階の（呼び）登録が行われるとともに透光部Ｌが点灯する。これにより、各釦３１を介して入力操作を行った際に、各入力操作の受付状況を利用者が目視で確認できる。また、同様に、戸開釦３２を押すことにより、或いは、戸開センサ部３５が、手などの遮蔽物による遮光を検出すると透光部３２Ｌが点灯する。なお、本実施形態では、押釦３１や戸開釦３２などを用いているが、例えば、タッチセンサなどを用いてもよい。
【００２３】
上述した行先階センサ部３４および戸開センサ部３５はほぼ同一の構成を具備するため、以下の説明では、主に行先階センサ部３４の構成について説明を行い、戸開センサ部３５については適宜説明を省略する。
【００２４】
各行先階センサ部３４には両端が同じ向きに湾曲するように形成された略矩形状の孔が設けられ、各矩形孔は、図３に示すように、透光性を有する保護プレート３７Ａ，３７Ｂ，３７Ｃ，…（以下、特に区別する必要が無い場合は「保護プレート３７」と表記）によって各々覆われている。各行先階センサ部３４の各矩形孔には、投光器と受光器が一体になった反射型光電センサが格納され、投光器から光を照射し、受光器が受光する物体からの反射光の受光量の変化に基づいて物体の有無を検出する。
【００２５】
ここで、図４は、行先階センサ部３４と検出領域Ｐの位置関係を模式的に示す断面図である。図４では、検出領域Ｐをハッチングで示すとともに、行先階センサ部３４および検出領域Ｐ以外の構成については適宜省略して示している。図４に示すように、行先階センサ部３４は、受光器側の受光量（センサの感度）を調整し、予め設定されている検出領域Ｐにおける物体（遮蔽物）による遮光を検出可能に構成される。そして、この検出領域Ｐは、図４に示すように、０ｍｍ≦Ｘ１＜Ｘ２としたときに行先階センサ部３４から水平方向Ｘに距離Ｘ１だけ離れた位置から同方向ＸにＸ２だけ離れた位置までを含む空間領域となるように設定される。
【００２６】
図３に示すように、かご操作盤２３は、さらに、表示部４４を有する。表示部４４は、例えば、液晶ディスプレイからなり、例えば、乗りかご２２の移動（昇降）方向や乗りかご２２の通過階、その他乗客に報知する情報を表示する。表示部４４は、操作部３０よりもさらに上方の乗客から見やすい位置に設けられている。図３に破線で示すように、かご操作盤２３には音声を出力するスピーカ（音発生部）ＳＰが内蔵されている。このスピーカＳＰは、かご扉２２Ａ，２２Ｂの戸開動作や戸閉動作などを乗客に報知するための音を発生させる役割を有する。
【００２７】
上記構成からなるかご操作盤２３は、機械室１４（図１参照）に設置された制御装置４６（図１参照）と電気的に接続されている。制御装置４６は、かご操作盤２３などを介して行われる入力操作などに対応して行われる行先階登録に基づいて乗りかご２２の運行制御を行うコンピュータであり、ＣＰＵ、メモリなどを備えている。メモリには、例えば、巻上機１６の駆動制御、かご扉２２Ａ，２２Ｂの開閉制御、各押釦３１の透光部Ｌ、戸開釦３２の透光部３２Ｌや案内用照明ＬＭの点灯制御、スピーカＳＰなどを各々制御するため各種制御プログラムが格納されている。ＣＰＵが、これらのプログラムをメモリから読み出して実行することにより、制御装置４６によるエレベータ１０の円滑な運転が実現される。
【００２８】
そして、エレベータ１０では、かご扉２２Ａ，２２Ｂの開閉制御も制御装置４６によって行われる。制御装置４６のメモリには、乗りかご２２の行先階登録に関する制御プログラムが格納されている。制御装置４６は、ＣＰＵが当該制御プログラムをメモリから読み出し、戸開モードや、戸閉モードを実行する。ここで、戸開モードとは、かご扉２２Ａ，２２Ｂを戸開方向に移動させるとともに同扉２２Ａ，２２Ｂを戸開状態で保持するためのモードである。また、戸閉モードとは、かご扉２２Ａ，２２Ｂを戸閉方向、換言すると、全閉状態となる方向に移動させるためのモードである。
【００２９】
ここで、図５を用いて、制御装置４６における戸開センサ部３５を用いたかご扉２２Ａ，２２Ｂの開閉制御の流れについて説明を行う。図５は、戸開センサ部３５が遮光を検知したときの制御装置４６によるかご扉２２Ａ，２２Ｂの開閉制御の流れを示すフローチャートである。
【００３０】
図５に示すように、制御装置４６は、戸開センサ部３５が遮光を検知した場合に、戸開可能な状態であるか否かを判断する（ステップＳ１，Ｓ２）。戸開可能な状態とは、乗りかご２２が乗場２６に着床しており、かつ、強制的に戸閉状態を維持する必要が無い状態を含む。これにより、戸開センサ部３５が遮光を検知しても、乗りかご２２が戸開可能な状態でない場合に報知音が鳴ることがなく、また、戸開釦３２の透光部３２Ｌや案内用照明ＬＭが点滅することもない。このため、乗りかご２２内の乗客に不要な案内がなされることがない。
【００３１】
ステップＳ２において、制御装置４６は、戸開可能な状態と判断すると戸閉モードの実行中を除いて所定の待機時間経過後に戸開モードを実行する（ステップＳ３，Ｓ４，Ｓ５）。一方、制御装置４６は、戸閉モードの実行中の場合は所定の待機時間の経過を待たずに戸開モードを実行する（ステップＳ３，Ｓ５）。
【００３２】
ステップＳ５において、制御装置４６は、戸開モードを実行する際にスピーカＳＰを介して所定の報知音を発生させるとともに、戸開釦３２の透光部３２Ｌ（図３参照）および垂れ壁２２−１の案内用照明ＬＭ（図２参照）を点滅させる。所定の報知音は、例えば、「ピ・ピ・ピ・・・」という断続音である。これにより、乗客が手を戸開センサ部３５にかざしている状態で戸開釦３２の透光部３２Ｌが視認し難い状況でも戸開センサ部３５の検知状況を容易に把握できる。
【００３３】
上記断続音の代わりにスピーカＳＰを介して連続音や、かご扉２２Ａ，２２Ｂ（図２参照）が戸開動作中であることを案内する音声案内を放送するようにしてもよい。上述したように所定の報知音を戸開モード実行中に発生させることにより、例えば、乗客の荷物が戸開センサ部３５に検知されるなどして戸開モードが実行された場合にも戸開センサ部３５が荷物を検知していることに乗客がいち早く気づくことができる。そして、戸開センサ部３５の検出領域から乗客が荷物を退避させることで戸開モードを速やかに終了させ、エレベータ１０の運行を円滑なものにできるという利点もある。
【００３４】
次に、図５に示すように、制御装置４６は、戸開センサ部３５が遮光を検知しなくなると（ステップＳ６）、遮光を検知しなくなったタイミング（第１の非検知タイミング）から第１所定時間（例えば、３秒）の経過後に戸閉モードを実行する（ステップＳ７，Ｓ１５）。
【００３５】
上記構成により、戸開センサ部３５の検出領域にかざしている手を乗客がうっかり同領域外に移動させるなどしたために戸開センサ部３５が遮光を検知しなくなったとしても第１所定時間の経過後にしか戸閉モードが開始されない。
【００３６】
ここで、上述したステップＳ６において戸開センサ部３５が遮光を検知しなくなったときに、換言すると、遮光を検知しなくなったタイミングで制御装置４６はステップＳ５で発生させた報知音や案内用照明ＬＭの点滅を停止させるのが好ましい。これにより、戸開センサ部３５が遮光を検知していないことに乗客がすぐに気づくことができる。
【００３７】
また、制御装置４６は、上述したステップＳ５で実行している戸開モードをステップＳ７で第１所定時間が経過してから終了する、換言すると、ステップＳ１５の戸閉モードに遷移するまで実行する。これにより、第１所定時間が経過するまでかご扉２２Ａ，２２Ｂを戸開状態に保持できる。
【００３８】
上記構成によれば、かご扉２２Ａ，２２Ｂを戸開状態に保ちつつ、乗客が戸開状態を延長したい場合には戸開センサ部３５の検出領域に再度手をかざすなどの対応を取りやすく、乗客の意図に反して戸閉モードが実行されるといったことが発生するのを抑制できる。
【００３９】
一方、制御装置４６は、図５に示すように、第１所定時間の経過前に戸開センサ部３５が遮光を再検知した場合には（ステップＳ８）、所定の待機時間（例えば、０．３秒）の経過後（ステップＳ９）、戸開モードを実行する（ステップＳ１０）。
【００４０】
ステップＳ１０において、制御装置４６は、戸開モードを実行する際、ステップＳ５の場合と同様にスピーカＳＰを介して報知音を発生させるとともに案内用照明ＬＭおよび戸開釦３２の透光部３２Ｌを点滅させる。これにより、ステップＳ５の場合と同様に、戸開センサ部３５による遮光検知状態を乗客が容易に把握することができる。
【００４１】
そして、制御装置４６は、図５に示すように、戸開センサ部３５が遮光を検知しなくなると（ステップＳ１１）、同検知が停止したタイミング（第２の非検知タイミング）からの時間を計測し、計測した時間（以下、「計測時間」と表記）が第２所定時間（例えば、３秒）を経過した後（ステップＳ１２）、戸閉モードを実行する（ステップＳ１５）。
【００４２】
ここで、制御装置４６は、ステップＳ１０でスピーカＳＰを介して発生させていた報知音や、案内用照明ＬＭおよび戸開釦３２の透光部３２Ｌの点滅を、ステップＳ１１で戸開センサ部３５による遮光検知が停止したときに終了させる。このため、乗客は戸開センサ部３５が遮光を検知していないことを容易に把握できる。一方、制御装置４６は、ステップＳ１２で第２所定時間が経過してステップＳ１５に遷移するまでの間、ステップＳ１０で実行している戸開モードを引き続き実行する。これにより、第２所定時間が経過するまでかご扉２２Ａ，２２Ｂを戸開状態で保持できる。この結果、戸開状態を延長したい場合には、戸閉モードが実行される前に戸開センサ部３５の検出領域に乗客が手をかざすといった対応を取りやすい。
【００４３】
制御装置４６は、図５に示すように、上記第２所定時間が経過する前に戸開センサ部３５が遮光を再検知すると（ステップＳ１３）、ステップＳ１２で計測していた上記計測時間をリセット、すなわち、計測時間を０秒に設定する（ステップＳ１４）。これにより、ステップＳ１３で遮光を再検知した後に戸開センサ部３５が遮光を検知しなくなった場合においても、その後、ステップＳ１２で第２所定時間（例えば、３秒）の経過を待って戸閉モードを実行することができる。
【００４４】
続いて、制御装置４６は、図５に示すように、ステップＳ１０に戻り、再度、戸開モードを実行し、報知音を発生させ、案内用照明ＬＭおよび戸開釦３２の透光部３２Ｌを点滅させる。
【００４５】
そして、制御装置４６は、戸開センサ部３５の遮光を検知しなくなったタイミングから同センサ部３５が再度遮光を検知することなく第２所定時間（例えば、３秒）が経過すると（ステップＳ１１，Ｓ１２）、戸閉モードを実行し（ステップＳ１５）、一連のかご扉２２Ａ，２２Ｂの開閉制御処理が終了する。
【００４６】
上述したように、制御装置４６は、戸開モード中に戸開センサ部３５が遮光を検知している検知状態から遮光を検知していない非検知状態に変化した場合には、上記検知状態から非検知状態に変化する第１の非検知タイミングから第１所定時間経過後に戸閉モードを実行する。また、第１所定時間経過前に戸開センサ部３５が遮光を再検知した場合には再検知後に戸開センサ部３５が遮光を再び検知しなくなる第２の非検知タイミングから第２所定時間経過後に戸閉モードを実行する。
【００４７】
これにより、乗客が手などを戸開センサ部３５にかざしているときに同センサ部３５の検出領域外に手を移動させた場合などでも所定時間の経過後でなければ戸閉モードは実行されない。そして、所定時間経過前に再び手をかざすなどして遮光を再検知させた場合には、再び遮光を検知しなくなってから所定時間が経過した後でなければ戸閉モードが実行されない。
【００４８】
このため、乗客が戸開センサ部３５にかざしている手を意図せずに検出領域外に移動させてしまった場合などにおいて、同センサ部４５が遮光を検知しない非検知となったタイミングで戸閉モードが開始されず、また、上記非検知となった場合でも、再度、戸開センサ部３５に手をかざすなどすれば戸開状態を維持することが可能となる。従って、かご扉２２Ａ，２２Ｂを戸開状態に保持する間、続けて戸開センサ部３５に手をかざし続ける必要は無く、ときどき戸開センサ部３５に手をかざすことで戸開状態を維持できるという利点もある。
【００４９】
本実施形態のエレベータ１０によれば、戸開センサ部３５による遮光検知に基づいてかご扉２２Ａ，２２Ｂを戸開させるとともに所定の（断続）音を発生させる。これにより、乗客が手を戸開センサ部３５にかざすなどしている状態でも同センサ部３５の検知状況を乗客が容易に把握できる。また、乗客が意図せずに戸開センサ部３５に遮光を検知させてしまっている場合などにおいて、同センサ部３５が反応（遮光検知）していることに乗客がいち早く気づくことが可能となる。
【００５０】
上記実施形態のステップＳ７，Ｓ１２において、制御装置４６は、各々第１所定時間、第２所定時間の経過を待つ間、ステップＳ５，Ｓ１０において発生させる音のパターンと異なるパターンの音をスピーカＳＰから発生させてもよい。これにより、戸開センサ部３５が遮光を検知しておらず、まもなくかご扉２２Ａ，２２Ｂが戸開することを乗客が把握しやすいという利点がある。
【００５１】
上記実施形態では、ステップＳ５，Ｓ１０において、制御装置４６は、戸開モードの実行中にスピーカＳＰを介して断続音を発生させるとともに、案内用照明ＬＭと戸開釦３２の透光部３２Ｌの双方を点滅させているが、上記断続音を発生させるとともにいずれか一方のみ点滅させてもよい。また、制御装置４６は、スピーカＳＰを介して断続音のみ発生させ、案内用照明ＬＭおよび透光部３２Ｌを点滅させないようにしてもよい。
【００５２】
上記実施形態では、第１所定時間および第２所定時間をいずれも３秒とする例を挙げて説明しているが、エレベータ１０の使用状況などに応じて３秒よりも長く設定してもよいし、３秒よりも短く設定してもよい。また、両所定時間を異なる長さに各々設定してもよい。
【００５３】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００５４】
１０    エレベータ
２３    かご操作盤
２６，２６Ａ，２６Ｂ，２６Ｃ    乗場
３０    操作部
３１，３１Ａ，３１Ｂ，３１Ｃ    押釦
３２    戸開釦
３２Ｌ    透光部（発光部）
３３    戸閉釦
３３，３３Ａ，３３Ｂ，３３Ｃ    透光部
３４，３４Ａ，３４Ｂ，３４Ｃ    行先階センサ部
３５    戸開センサ部（非接触式センサ）
３６    透光部
４６    制御装置（制御部）
ＬＭ    案内用照明（発光部）
ＳＰ    スピーカ（音発生部）
Ｓ１〜Ｓ１５    ステップ
Ｘ，Ｚ    水平方向
Ｙ    上下方向
【要約】
【課題】非接触式センサに遮蔽物を検知させることによりかご扉の戸開操作を非接触で行う場合において、非接触式センサの検知状態を乗客が容易に把握できるエレベータを提供する。
【解決手段】エレベータ１０は、乗りかご２２に設けられたかご扉２２Ａ，２２Ｂの戸開操作を非接触で操作可能に構成されており、かご扉２２Ａ，２２Ｂの戸開操作の非接触で行うために遮光を検知する戸開センサ部３５と、かご扉２２Ａ，２２Ｂの開閉状態を報知するために音を発生させるスピーカＳＰと、戸開センサ部３５の遮光検知に基づいてかご扉２２Ａ，２２Ｂを戸開させる戸開モードを実行するとともに、戸開モードのときにスピーカＳＰに断続音を発生させる制御装置４６とを備える。
【選択図】図３【図１】
0006856161.tif 000002
【図２】
0006856161.tif 000003
【図３】
0006856161.tif 000004
【図４】
0006856161.tif 000005
【図５】
0006856161.tif 000006